(57)【要約】【課題】ストロー飲み口と通気孔の開閉を、一連のわかりやすい動作で容易に行うことができ、このような動作の行う機構部がコンパクトで携帯性に優れ、しかも分解洗浄が容易で、清潔に使用することができる飲料容器を提供すること。【解決手段】上面に開口部を有し、内部に飲料を収容する容器本体１１と、該容器本体に着脱され、前記開口部を覆うアダプター１６とを有する飲料容器１０であって、前記アダプターは、前記容器本体と連通し、一方向に傾斜して延びるストロー飲み口４０と、前記ストロー飲み口の後方領域に形成された通気孔５３とを有するアダプター本体５０と、前記アダプター本体のほぼ水平な天面に沿って、前記ストロー飲み口に対して近接・離間するように進退し、前記ストロー飲み口と前記通気孔とをそれぞれ開閉するとともに、閉止状態において前記ストロー飲み口を屈曲して塞ぎ、かつ、前記通気孔を塞ぐ、フード部材１５とを含んでいる。【選択図】        図３
2006176184.tif 000002
【特許請求の範囲】
【請求項１】
上面に開口部を有し、内部に飲料を収容する容器本体と、該容器本体に着脱され、前記開口部を覆うアダプターとを有する飲料容器であって、
前記アダプターは、
前記容器本体と連通し、一方向に傾斜して延びるストロー飲み口と、
前記ストロー飲み口の後方領域に形成された通気孔と
を有するアダプター本体と、
前記アダプター本体のほぼ水平な天面に沿って、前記ストロー飲み口に対して近接・離間するように進退し、前記ストロー飲み口と前記通気孔とをそれぞれ開閉するとともに、閉止状態において前記ストロー飲み口を屈曲して塞ぎ、かつ、前記通気孔を塞ぐ、フード部材と
を含んでいる
ことを特徴とする飲料容器。
【請求項２】
前記フード部材が完全に閉止した状態では、前記ストロー飲み口と前記通気孔とが閉止され、前記フード部材を前記ストロー飲み口から離間させる方向に移動させた第１の位置で、前記通気孔のみが開放され、さらに移動させた第２の位置で、前記ストロー飲み口を開放しつつ前記通気孔を閉止する構成とされており、
前記フード部材には、前記通気孔を閉止するための閉止部が設けられ、該閉止部は、前記フード部材密閉時に前記通気孔を閉止する密閉時閉止部と、前記フード部材を開放した際に前記通気孔を閉止する開放時閉止部とを備え、前記密閉時閉止部と前記開放時閉止部との間に、通気開放部が設けられていることを特徴とする請求項１に記載の飲料容器。
【請求項３】
前記フード部材は、前記ストロー飲み口から離間する方向に移動され、ストロー飲み口が飲用状態とされる位置から、さらに離間方向に移動することで、前記アダプター本体から取り外し可能とされていることを特徴とする請求項１または２のいずれかに記載の飲料容器。
【請求項４】
前記フード部材が、前記アダプター本体の天面に沿ってほぼ水平に移動して前記通気孔を開閉するスライド部材と、前記アダプター本体に対して軸止され、支軸を中心に回動して前記ストロー飲み口を覆う回動蓋とを有しており、前記フード部材を完全に閉止した状態において、前記スライド部材が前記通気孔を閉止するとともに、このスライド部材が前記回動蓋の回動を阻止して閉止状態を維持する構成としたことを特徴とする請求項１ないし３のいずれかに記載の飲料容器。
【請求項５】
前記アダプター本体と前記フード部材の一方には、前記移動方向に沿って延びるレールまたは凸条が、他方には、前記レールまたは凸条の受容部が形成されていることを特徴とする請求項１ないし４のいずれかに記載の飲料容器。
【請求項６】
前記フード部材は、前記アダプター本体の外形とほぼ一致する外形を備えることを特徴とする請求項１ないし５のいずれかに記載の飲料容器。
【請求項７】
前記フード部材がスライド部材だけで構成されており、該スライド部材が前記アダプター本体の天面に沿ってほぼ水平に移動して前記通気孔と、前記ストロー飲み口とを開閉する構成とされており、前記スライド部材が、前記移動にともない一端側の水平位置を変位させるように案内される構成としたことを特徴とする請求項１ないし３のいずれかに記載の飲料容器。
【発明の詳細な説明】
【技術分野】
【０００１】
この発明は、飲料容器に係り、特に温かい飲料を摂取するのに適した飲料容器の改良に関するものである。
【背景技術】
【０００２】
容器本体に加熱した飲料を収容し、ストローを用いて摂取するようにした主として乳幼児向けの飲料容器が種々提案されており、ストローを屈曲することで密閉を保つよう構成された飲料容器が知られている（特許文献１参照）。
ところが、このような飲料容器では、容器本体に調乳した直後のミルク等の比較的高い温度の液体が収容されている場合においては、容器本体に存在する空気の体積が、高温の液体の熱を受けて膨張し、そのためストローを開放すると高温の飲料がストローを介して外部に噴出する危険がある。
このため、従来の飲料容器では、通気孔を設けて容器本体と外部との適切な連通構造を設け、上記弊害を防止しつつ、収納時には通気孔とストローを開閉し、容器本体の飲料が外部に漏れない機構を工夫しているものが提案されている（特許文献２参照）。
【０００３】
この飲料容器では、蓋部材が回動することで、ストローを屈曲して密閉し、蓋部材とは別に開閉手段を設けて上記通気孔を開閉する構造である（特許文献２参照）。
また、これとは異なり、蓋を回動させてストロー飲み口を屈曲させて閉止し、さらにその蓋の動きの中で通気孔を開閉させるものも提案されている（特許文献３参照）。
【０００４】
【特許文献１】特開２００２−３２６６５５
【特許文献２】特開２００２−３２１７４１
【特許文献３】特開２００４−４２９８２
【発明の開示】
【発明が解決しようとする課題】
【０００５】
特許文献２の飲料容器は、高温の飲料の吹き出しを防止する構成は有していても、ストローと通気孔を開閉する機構が別々に設けられており、特に通気孔の開閉手段が小さいこともあって操作しにくく、使い勝手に問題があった。
これに対して、特許文献３の飲料容器は、回動する蓋状のカバー部材を開閉するだけで、ひとつ、もしくは一連の動作で、ストローと通気孔の開閉をともに行うことができて便利であり、ユーザーにとっても使用法がわかりやすい利点がある。
【０００６】
ここで、特許文献３の飲料容器において、上記の機能を実現する構造は、図２０に示すようになっている。すなわち、先端側にストロー抑え部１を有する湾曲したカバー２が、軸３により回動される。軸３には、外周に突起４，４を設け、回動位置に応じて、突起が板バネ５で付勢された板状部材６を押し下げ、この板状部材６の下面の弁体７が通気孔８を塞ぐ構造である。
【０００７】
したがって、ストローを開閉するカバー２の回動に連動して通気孔８を開閉する構造を設けるに当たり、細かな部品が使用され、その点数が多く、構造が複雑であり、清潔を保つためにできるだけ分解洗浄できることが求められるこの種の飲料容器にあって問題があり、また細かな部品が使用されているため、分解した場合、乳幼児の誤飲等の恐れもあった。
【０００８】
この発明は、上記課題を解決するためになされたものであり、ストロー飲み口と通気孔の開閉を、一連のわかりやすい動作で容易に行うことができ、このような動作の行う機構部がコンパクトで携帯性に優れ、しかも分解洗浄が容易で、清潔に使用することができる飲料容器を提供することを目的とする。
【課題を解決するための手段】
【０００９】
上記目的は、請求項１の発明にあっては、上面に開口部を有し、内部に飲料を収容する容器本体と、該容器本体に着脱され、前記開口部を覆うアダプターとを有する飲料容器であって、前記アダプターは、前記容器本体と連通し、一方向に傾斜して延びるストロー飲み口と、前記ストロー飲み口の後方領域に形成された通気孔とを有するアダプター本体と、前記アダプター本体のほぼ水平な天面に沿って、前記ストロー飲み口に対して近接・離間するように進退し、前記ストロー飲み口と前記通気孔とをそれぞれ開閉するとともに、閉止状態において前記ストロー飲み口を屈曲して塞ぎ、かつ、前記通気孔を塞ぐ、フード部材とを含んでいる飲料容器により、達成される。
【００１０】
第１の発明の構成によれば、アダプター本体のほぼ水平な天面に沿ってフード部材が進退するように構成し、前記ストロー飲み口に対して近接・離間するようにしたので、フード部材の動きは水平な方向によるアダプター本体に沿った移動により、ストロー飲み口と通気孔を開閉するもので、ユーザーによる操作が分かりやすく、かつ操作を行いやすい。しかも、通気孔の開閉が、回動による上下方向（縦方向）の動きではない分、容器本体以外の開閉機構をコンパクトに形成することができ、携帯に便利である。
また、縦方向の動きを行わずにスライド移動で通気孔を開閉しているので、構造が簡単となり、多くの部品点数を要さずに通気孔を開閉できるため、分解洗浄も簡単に行える。
【００１１】
第２の発明は、第１の発明の構成において、前記フード部材が完全に閉止した状態では、前記ストロー飲み口と前記通気孔とが閉止され、前記フード部材を前記ストロー飲み口から離間させる方向に移動させた第１の位置で、前記通気孔のみが開放され、さらに移動させた第２の位置で、前記ストロー飲み口を開放しつつ前記通気孔を閉止する構成とされており、前記フード部材には、前記通気孔を閉止するための閉止部が設けられており、該閉止部は、前記フード部材密閉時に前記通気孔を閉止する密閉時閉止部と、前記フード部材を開放した際に前記通気孔を閉止する開放時閉止部とを備え、前記密閉時閉止部と前記開放時閉止部との間に、通気開放部が設けられていることを特徴とする。
【００１２】
第２の発明の構成によれば、フード部材の操作に対応して、ストロー飲み口と通気孔の開閉を行うことができ、この場合、フード部材の完全閉止状態で、両方を完全に閉止し、フード部材を開き始めて、ストロー飲み口が開放されない第１の位置では、先ず通気孔を開放して容器本体無いの圧力を逃がすことで、吹き出しを防止し、次いでフード部材をさらに開いて、ストロー飲み口を開放した第２の位置では、通気孔を閉止して、飲料容器がこの状態で倒れた場合などにおいて、通気孔から飲料が漏れることを防止できる。
しかも、フード部材に密閉時閉止部と開放時閉止部の二つの閉止部を設け、その間に通気開放部を配置して、フード部材の水平方向の動きだけで、縦方向に移動しなくても、フード部材の移動位置に対応して、通気孔を適切に開閉し、コンパクトでしかも少ない部品点数による開閉構造を実現することができる。
【００１３】
第３の発明は、第１または第２のいずれかの発明の構成において、前記フード部材は、前記ストロー飲み口から離間してストロー飲み口が飲用状態とされる位置から、さらに離間方向に移動することで、前記アダプター本体から取り外し可能とされていることを特徴とする。
第３の構成によれば、ストロー飲み口が飲用状態とされるようフード部材を配置した状態から、さらにストロー飲み口から離間する方向に移動させることで、フード部材がアダプター本体から取り外し可能とされているため、飲用状態から、フード部材をストロー飲み口から離間する方向となる水平方向へ移動するだけで、容易にアダプター本体からの取り外しを行え、分解洗浄を容易に行うことができる。
【００１４】
第４の発明は、第１ないし第３のいずれかの発明の構成において、前記フード部材が、前記アダプター本体の天面に沿ってほぼ水平に移動して前記通気孔を開閉するスライド部材と、前記アダプター本体に対して軸止され、支軸を中心に回動して前記ストロー飲み口を覆う回動蓋とを有しており、前記フード部材を完全に閉止した状態において、前記スライド部材が前記通気孔を閉止するとともに、このスライド部材が前記回動蓋の回動を阻止して閉止状態を維持する構成としたことを特徴とする。
【００１５】
第４の発明の構成によれば、フード部材がスライド部材と回動蓋を有することにより、スライド部材の動きにより通気孔を開閉し、回動蓋がストロー飲み口の曲折による閉止を行うことができる。そして、完全な閉止状態においては、スライド部材が回動蓋に対して回動を阻止することで、ストロー飲み口が開放されないように閉止状態を維持することができ、スライド部材と回動蓋の移動方向が異なるため、確実な閉止構造を実現できる。
【００１６】
第５の発明は、第１ないし第４のいずれかの発明の構成において、前記アダプター本体と前記フード部材の一方には、前記移動方向に沿って延びるレールまたは凸条が、他方には、前記レールまたは凸条の受容部が形成されていることを特徴とする。
第５の発明の構成によれば、アダプター本体に対して、前記フード部材が、分かりやすく、操作性のよい水平方向の移動を行う構成を実現できる。
【００１７】
第６の発明は、第１ないし第５の発明のいずれかの構成において、前記フード部材は、前記アダプター本体の外形とほぼ一致する外形を備えることを特徴とする。
第６の発明の構成によれば、フード部材がアダプター本体にかぶるような形態となり、水平方向に沿って、面積的に大きな形状を有しているから、操作対象として認識しやすく、把持しやすい構成となり、その結果、操作しやすい。
【００１８】
第７の発明は、第１ないし第３の発明のいずれかの構成において、前記フード部材がスライド部材だけで構成されており、該スライド部材が前記アダプター本体の天面に沿ってほぼ水平に移動して前記通気孔と、前記ストロー飲み口とを開閉する構成とされており、前記スライド部材が、前記移動にともない一端側の水平位置を変位させるように案内される構成としたことを特徴とする。
第７の発明の構成によれば、部品点数をより減らすことができ、分解洗浄などが、一層容易になり、しかも、スライド部材に部分的に縦方向の動きをさせることにより、一方向に傾斜して延びるストロー飲み口の開閉をより確実に行うことができる。
【発明を実施するための最良の形態】
【００１９】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１ないし図３は、本発明の第１の実施形態に係る飲料容器の全体を示しており、図１は飲料容器の密閉状態の概略斜視図、図２は飲料容器の全開状態の概略斜視図、図３は飲料容器の概略分解斜視図である。
飲料容器１０は、図３に示すように、上面に開口部１１ａを有し、内部に飲料を収容することができる容器本体１１を備えている。容器本体１１は、ガラスやポリプロピレン、ポリカーボネート、ポリエーテルスルフォン等よりなる合成樹脂の成形品で形成されており、大きな開口１１ａを備えることにより、内部に粉末ミルクなどをいれて調乳するなどの作業が容易になるようにされている。加工部１１ａの外周にはネジ部１１ｂが形成されていて、アダプター１６のアダプター本体５０と着脱されるようになっている。アダプター１６は、例えば、同様の合成樹脂の成形品で形成されている。なお、アダプター１６は、乳首やスパウト、カップ状の飲み口等を、状況により選択して装着することができる。
【００２１】
アダプター１６は、アダプター本体５０と、このアダプター本体５０に装着されるフード部材２０を備えている。
アダプター本体５０は、扁平な円形の蓋状であって、特に上面（天面）が水平に形成されているとともに、その厚み方向（Ｚ方向）の寸法ができるだけ小さくなるように形成されている。アダプター本体５０は、容器本体１１に装着された状態で、この容器本体５０の開口部１１ａを蓋状に塞ぐとともに、後述するストロー飲み口の通過孔と、通気孔とが形成されることで、容器本体１１の内部空間と外部とを連通させるようになっている。
【００２２】
アダプター本体５０の外周には、外方（Ｙ方向）に突出し、やや湾曲して下方に向かって延びる一対の取っ手１２，１２が一体に形成されている。ここでは、取っ手１２は下方に向かって直線状に延びているが、手前側（Ｘ方向）に延びるように構成してもよい。
アダプター本体５０の上面（天面）には、外方に水平に突出したレール部５１ａ，５１ａを備え，一方向に直線的に延びる一対の案内壁５１，５１が形成されている。また、両案内壁５１，５１の内側には、図３において、中央よりやや手前付近に、後述するストロー飲み口の挿通孔（以下、「挿通孔」という）５２が設けられている。同様に、案内壁５１，５１の内側において、案内壁が延びる方向に沿って奥側には、通気孔５３が形成されている。この通気孔５３は、やや上方に突出され、シリコーンやエラストマー等からなる弾性体５３ａが配置されて、上端が開口された形態である。このように、挿通孔５２は取っ手１２よりも身体側に、通気孔５３は身体とは逆側に配置されている。
【００２３】
さらに、アダプター本体５０の案内壁５１，５１の内側において案内壁５１，５１の延びる方向に関して、中間付近には、軸受け５４，５４が一体に形成されており、後述する回動蓋が回動可能に支持されるようになっている。
また、アダプター本体５０の上面には、図３において挿通孔５２のやや手前の位置に、案内壁５１と直行する方向にストロー飲み口の曲折案内壁５５が起立している。
【００２４】
フード部材１５は、アダプター本体５０に装着され、アダプター本体５０の案内壁５１，５１の延びる方向に沿ってスライドされることにより進退し、アダプター本体５０の上方において、その挿通孔５２および通気孔５３を覆うものである。
第１の実施形態では、フード部材１５は、扁平な円形のスライド部材２０と、スライド部材２０の円形の一部を帯状に径方向に沿って切り欠いた形状でなる回動蓋３０とを備えている。
【００２５】
スライド部材２０はその外形がアダプター本体５０の天面とほぼ一致する形状とされ、図１に示されているように、アダプター本体５０にスライド部材２０を重ねて装着した状態で完成されるアダプター１６の縦方向（Ｚ方向）の高さが低く、コンパクトになるようにされて、携帯時や収納時に取り扱いやすいよう構成されている。
スライド部材５０の下面には、アダプター本体５０の案内壁５１，５１に対応した案内壁２１，２１が形成されており、各案内壁２１，２１の内側には、水平方向に凹状となったの受容部２１ａが設けられている。この受容部２１ａには、アダプター本体５０側の案内壁５１，５１のレール部５１ａが受容され、これにより、スライド部材２０は矢印Ｘ方向、すなわち、アダプター本体５０に対してフード部材１５が、挿入孔５２と通気孔５３を結ぶ方向に沿ってスライドするように案内されることができる。
【００２６】
スライド部材２０のスライド機構を詳しく説明する。
図４はアダプター本体５０の概略斜視図であり、図５はスライド機構を説明するための説明図である。
アダプター本体５０の案内壁５１，５１のレール部５１ａ内側となる凹状溝には、その長さ方向の中央付近に外向きに突出する凸部５１ｂ，５１ｂが形成されている。外側に位置するスライド部材２０側の案内壁２１，２１の対向する内側には、これらの長さ方向の中央付近に、係合凹部２１ｂ，２１ｂと、これらに隣接して第１の係合凸部２１ｃ，２１ｃが形成されている。さらに、スライド部材２０側の案内壁２１，２１の対向する内側の先端側（図１ないし図３における手前側）に、第２の係合凸部２１ｄ，２１ｄが第１の係合凸部２１ｃよりも僅かに高くなるよう形成されている。
【００２７】
フード部材１５が完全に閉じられた図１の状態では、アダプター本体５０の案内壁５１，５１の係合凸部５１ｂ，５１ｂは、図５のようにスライド部材２０側の案内壁２１，２１の係合凹部２１ｂ，２１ｂに入り込んで、Ｐ２の位置にある。この時、係合凹部２１ｂの後端側（第２の係合凸部２１ｄの逆側）の高さが高く形成された壁面２１ｅ，２１ｅとされているため、スライド部材２０は先端側に移動することがないよう構成されている。
スライド部材２０を図５の矢印の方向（図１の背後の方向）に移動させると、アダプター本体５０の案内壁５１，５１の係合凸部５１ｂ，５１ｂは、第１の係合凸部２１ｃ，２１ｃを乗り越え、第２の係合凸部２１ｄ，２１ｄに係合して止まり、スライド部材２０がストロー飲み口４０から離間した状態となる。この位置Ｐ１が図２の状態である。
なお、洗浄等のためにスライド部材２０を取り外す際には、さらに図５の矢印方向にスライド部材２０を移動させることで、先端側の第２の係合凸部２１ｄを係合凸部５１ｂが乗り越えてスライド部材２０を取り外すことができ、スライド部材２０を外すことで図３に示すように分解できる。また、組み立て時は逆に第２の係合凸部２１ｄから挿入する。
【００２８】
図６はアダプター１６の拡大部分断面図であり、スライド部材２０を完全に閉止した状態（密閉状態）を示し、スライド部材２０の位置は図５に示す閉止状態である。
スライド部材２０の下面には、アダプター本体５０の通気孔５３に上方から当接して塞ぐための手段が形成されている。この実施形態では、弾性体５３ａが設けられた通気孔５３の閉鎖手段は、水平状のスライド部材２０の下面に下方に向けて突出した凸部で形成されており、密閉時閉止部２３と、開放時閉止部２４の２つの凸部とされていて、通気孔５３を変形させるよう当接して密閉する。この密閉時閉止部２３と開放時閉止部２４との間が、通気孔５３により容器本体内部と外部との通気を許す通気開放部２５となっている。
【００２９】
これにより、スライド部材２０の上述した移動にともない、その移動位置に対応して、各閉止部２３，２４が通気孔５３を塞ぐようになっており、その間の通気開放部２５が図５に示す移動幅Ｌ１に対応し、通気開放部２５の位置に通気孔５３が配置されている間は容器本体１１内の空気は、通気孔５３によって外部と連通されている。スライド部材２０の上面には、一体に突出させて形成した指がかり２６が設けられている。
また、後述するように、スライド部材２０の図１および図２に表れた前端位置には、切欠き段部２７，２７が形成されており、後述する回動蓋を閉止した際に、その回動を阻止し、不用意に開かないようになっている。
かくして、スライド部材による水平操作を行う構成とすることで、分かりやすく操作性のよい水平方向の移動を少ない部品点数で確実に実現できる。
【００３０】
図１ないし図３を参照する。
ストロー飲み口４０は、図３に示されているように、口唇を閉じる力が弱い乳幼児でも飲みやすいよう、断面における外形が扁平な楕円とされ、内径が正円の飲料通過孔とされた飲み口部４２が、装着部４１と一体にシリコーンやエラストマー等の弾性体より形成されており、この装着部４１を介して、図２に示されているようにアダプター本体５０の挿通孔５に挿通され、装着されている。なお、装着部４１の下方には手前側に屈曲するよう形成されたチューブ４３が装着されて、ストロー飲み口４０がカップ本体１１内と連通しており、アダプター本体５０上面から飲み口４２の部分が斜め前方にやや傾斜して露出するようにされている。
【００３１】
フード部材１５のスライド部材２０は、ほぼ円形であるが、その円形のストロー飲み口４０側となる前端領域の一部を半径方向に帯状に切り欠くような形態で、回動蓋３０が形成されている。回動蓋３０はアダプター本体５０の上面から露出したストロー飲み口４０の飲み口４２の上に配置されて、回動により閉じた状態では飲み口４２の部分を曲折して閉止することができ、開いた状態では飲み口４２が露出するようになっている。
具体的には、回動蓋３０は、図２および図３に示すように、前端部にやや突出した指がかり３４が一体に形成されており、後端部に水平に突出する支軸３２，３２を有している。この支軸３２，３２が図３に示すアダプター本体５０の軸受け部５４，５４に装着されることによって、前端側を揺動させるように回動可能に支持される。また、閉止状態では、指がかり３４の内面に設けられた係止爪３４ａが、アダプター本体の先端に設けられた係止爪５０ａを乗り越えることで、回動蓋３０が不用意に開かないよう構成されている。
【００３２】
回動蓋３０の裏面の中間付近には、幅方向に延びる折り壁３６が設けられており、折り壁３６よりも前端寄りには、所定空間を隔てて、前方に向かって徐々に上昇する傾斜面３３が設けられている。つまり、図６に示すように、閉止状態では飲み口４２の装着部４１側から、回動蓋３０の折り壁３６で下方に屈曲され、アダプター本体５０の折り壁５５で上方に屈曲され、さらに傾斜面３３の内面によって下方に屈曲した後に傾斜に沿って上方に向かって、飲み口４２の先端が回動蓋３０の係止爪３４ａが設けられた先端に突き当たるよう構成されており、複数の屈曲を組み合わせることで、閉止状態での密閉を保つ。
また、回動蓋３３の前端側には幅方向両側の位置に外方に突出するようガイド部３５，３５が、回動蓋３０の略中央領域までＸ方向に延びて形成されている。図１に示すように閉止状態では、ガイド部３５の上側はスライド部材２０の切欠き段部２７の下側が当接されており、回動蓋３０が回動して開くことがないよう規制されている。ここから使用者がスライド部材２０の移動を始めても、ガイド部３５は回動蓋３０の略中間領域まで延びて設けられているため、ガイド部３５が設けられている位置まではスライド部材２０を移動させても切欠き段部２７に当接されているため、回動蓋３０が開くことがない。また、ガイド部３５から切欠き段部２７が外れても、係止爪５０ａ，３４ａで回動蓋３０が係止されているため、不用意に回動蓋３０が開き、飲み口４２が露出することがない。
【００３３】
次に、飲料容器１０のアダプター１６の動作について説明する。
図６はアダプター１６の拡大部分断面図であり、スライド部材２０を完全に閉止した状態（密閉状態）を示し、図７はスライド部材２０を図５で説明した矢印方向に移動させた第１の位置を示し、図８はスライド部材２０をさらに移動させて完全に開き、回動蓋３０を開いた第２の位置を示している。
図６において、スライド部材２０は閉止状態から移動しておらず、その密閉時閉止部２３は、アダプター本体側の通気孔５３に上から当接して、弾性体５３ａを変形させながらこれを塞いでいるので、図１の容器本体１１は密閉されている。
【００３４】
回動蓋３０は閉止されており、閉止状態においては、回動蓋３０の折り壁３６は、ストロー飲み口の上端部４２の中間付近を上からしている。上端部４２のさらに先端側は、アダプター本体５０の曲折案内壁５５により上方に曲折され、さらに先端側は、傾斜面３３に案内されて上方から押さえられるようにされている。このようにして、完全閉止状態では、ストロー飲み口４０と通気孔５３がともに閉止され、液体が流れ出ることがない。
【００３５】
次に、使用者がスライド部材２０の指がかりに指を添えて、図７の矢印Ｓ方向（Ｘ方向左向き）にスライド部材２０を移動させると、第１の位置になる。
この位置では、スライド部材２０は図５の凸部５１ｂが第１の係合凸部２１ｃを乗り越えるよう矢印方向に移動し、密閉時閉止部２３は、アダプター本体側の通気孔５３から外れ、通気孔５３はスライド部材２０の通気開放部２５に位置するので、容器本体１１の内部空間と外部とが連通される。この段階では回動蓋３０のガイド部３５が、スライド部材２０の切欠き段部２７に当接しているため、回動蓋３０を開くことができず、従ってストロー飲み口４０は開放されていない屈曲された状態で維持されている。
これにより、容器本体１１内に、例えば粉末の人工乳を入れて、比較的高温の湯を用いて調乳した後などのように、比較的高い温度の液体が収容されていることで、容器本体に存在する空気の体積が、高温の液体の熱を受けて膨張しても、その圧力が通気孔５３を介して通気開放部２５から外部に排出される。したがって、容器本体１１内の圧力は外部に比して高くなることがないので、ストロー飲み口４０を開放した場合にも、高温の飲料がストローを介して外部に噴出する事態を未然に防止することができる。
【００３６】
続いて、スライド部材２０を続けて矢印Ｓ方向に移動させると、図８に示すように、スライド部材２０は図５で説明したＰ１の位置で止まる。この位置においては、スライド部材２０の開放時閉止部２４が通気孔５３の上から当接し、通気孔５３を塞ぐ。
この状態では、回動蓋３０は自由に回動できるため係止爪５０ａ，３４ａの係止を解除して矢印Ｒ１方向に回動させると、ストロー飲み口４０の上端部４２は、弾性に基づいて、曲折状態から直線状に復帰し、ユーザーはストロー飲み口４０の上端部４２を口腔内にとりいれて飲用することが可能となる。
この時、回動蓋３０の支軸３２の外面に突出するよう設けられた固定爪３２ａ，３２ａが、アダプター本体の軸受け部５４の間に設けられた固定爪５４ａ，５４ａを乗り越えるよう係止されているため、回動蓋３０は開いた状態で維持されて、飲用中に不用意に閉じてしまうことがない。しかも、図８に示すように、スライド部材２０の先端角部２０ａが、回動蓋３０の傾斜面３３の裏面となる収容凹部３３ａに収容されるため、回動蓋３０が開いた状態で係止されると、スライド部材２０が収容凹部３３ａに突き当たるので、スライド部材２０が矢印Ｓと逆側に移動してしまうことも防いでいる。
そして、この状態において、飲料容器１０が倒れたり、あるいは飲料容器１０を乳幼児が大きく傾けてた場合でも、通気孔５３が閉止されているので、液体がこぼれることがない。
さらに、図８の状態から、使用者がより強い力で矢印Ｓの方向にスライド部材２０を移動させると、凸部５１ｂが第２の係合凸部２１ｄを乗り越えることができ、スライド部材２０をアダプター本体５０から外せ、容易に図３に示すような分解状態にすることができるため、洗浄等を行い易く、水平方向への操作によって全てを行うことができる。
かくして、本実施形態によれば、ストロー飲み口４０と通気孔５３の開閉を、一連のわかりやすい動作で行うことができ、このような動作の行う機構部がコンパクトで携帯性に優れ、しかも分解洗浄が容易で、清潔に使用することができる飲料容器１０を提供することができる。
なお、案内壁２１，５１における係合のための凹凸や、各閉止部２３，２４等の凸部からなる構成等は、凹凸を逆にしたり、凹部をスリット状にするなど、他の嵌合方法を採用してもよく、また、例えば各閉止部２３，２４側を弾性体として、通気孔５３は変形しないよう構成してもよい等、他の構造を採用してもよいのはもちろんである。
【００３７】
図９ないし図１２は、本発明の第２の実施形態の飲料容器を示しており、これらの図において、第１の実施形態と共通する構成には同一の付して重複する説明は省略し、以下、相違点を中心に説明する。
第１の実施形態の飲料容器１０は、フード部材がスライド部材と回動蓋を有していることに対して、第２の実施形態に係る飲料容器１００は、フード部材が回動蓋を備えず、スライド部材だけである点が相違している。
【００３８】
図９および図１０に示すように、飲料容器１００は、容器本体１１と、アダプター１６−１を備えている。
アダプター１６−１は、取っ手１２，１２を備えるアダプター本体５０−１と、フード部１５とを備えており、このフード部１５はこの実施形態では、スライド部材２０−１で構成されている。
図１１は、アダプター１６−１の概略断面図、スライド部材２０−１を全開にした状態を示し、右側を前方としている。図１２は、左側を前方とする概略断面図で、スライド部材２０−１を完全に閉じた状態で左側を前方とした図である。
【００３９】
図１０ないし図１２に示されているように、アダプター本体５０−１には、案内壁５１，５１が設けられており、凸条５１ａが形成されている。スライド部材２０−１側にも案内壁が形成され、上記凸条５１ａを受容することにより、スライド部材２０−１は平行な直線状の案内壁５１，５１に沿ってスライドするように案内される。
なお、アダプター本体５０−１には、第１の実施形態と同様に、ストロー飲み口４０の挿通孔５２と通気孔５３が形成されている。
【００４０】
スライド部材２０−１は極端に扁平な円盤状であって、上部の前部領域（図１の手前の領域）に、表面に滑り止めの溝を形成した傾斜面でなる指がかり６１を有している。スライド部材２０−１の裏面には、図１１，１２に示すように、密閉時閉止部２３と開放時閉止部２４および、これらの間に通気開放部２５が設けられている。
さらに、スライド部材２０−１裏面の前部領域には、ストロー飲み口の上端部４２を上方から折り曲げる折り壁３６が形成されている。
【００４１】
図１２に示すように、スライド部材２０−１が完全に閉められた状態においては、スライド部材２０−１の折り壁３６がストロー飲み口４０の飲み口４２の根元近くを側方からアダプター本体５０−１に設けられた低い折り壁５５に押し付けるよう押圧して折り曲げると共に、飲み口４２の先端側に設けられた上下の挟み壁３６ａ，５５ａで上下から挟みつけて潰すことにより閉止している。同時にスライド部材２０−１の密閉時閉止部２３が通気孔５３に上方から当接し、通気孔５３を閉止している。
【００４２】
図１０に示す矢印方向に沿って、スライド部材２０−１を徐々に移動させた第１の位置では、ストロー飲み口４０が開放される前に、密閉時閉止部２３の通気孔５３に対する閉止は解除されて、通気開放部２５に通気孔５３が位置する。これにより、容器本体１１に比較的高い温度の液体が収容されていて、容器本体に存在する空気の体積が、高温の液体の熱を受けて膨張しても、その圧力が通気孔５３を介して通気開放部２５から外部に排出される。したがって、ストロー飲み口４０開放した場合にも、高温の飲料がストローを介して外部に噴出する事態を未然に防止することができる。
【００４３】
続いて、スライド部材２０−１がさらに移動した図１１に示す第２の位置では、ストロー飲み口４０は開放され、ユーザーはストロー飲み口４０の上端部４２を口腔内にとりいれて飲用することが可能となる。しかし、スライド部材２０−１の開放時閉止部２４が通気孔５３の上から当接し、通気孔５３を塞ぐ。このため、飲料容器１００が倒されること等があっても、通気孔５３が閉止されているので、液体がこぼれることがない。このように本実施の形態においては、よりコンパクトで携帯性に優れ、分りやすい構成にできる。
【００４４】
図１３ないし図１６は、本発明の第３の実施形態の飲料容器を示しており、これらの図において、第１の実施形態と共通する構成には同一の付して重複する説明は省略し、以下、相違点を中心に説明する。
第１の実施形態の飲料容器１０は、フード部材がスライド部材と回動蓋を有していることに対して、第３の実施形態に係る飲料容器２００は、第２の実施形態同様、フード部材が回動蓋を備えず、スライド部材だけである点が相違している。
【００４５】
図１３ないし図１６に示すように、飲料容器２００は、容器本体１１と、アダプター１６−２を備えている。
アダプター１６−２は、取っ手１２，１２を備えるアダプター本体５０−２と、フード部１５とを備えており、このフード部１５はこの実施形態では、スライド部材２０−２で構成されている。
【００４６】
図１６に示すように、アダプター本体５０−２には、スライド部材５０−２を収容する窪みがストロー飲み口４０に近接／離間する方向に伸びるよう設けられており、窪み内に曲折案内壁５５、ストロー飲み口の挿通孔５２，通気孔５３が設けられている。
一方、スライド部材２０−２は、アダプター本体５０−２の扁平なドーム状の形状部分を直径方向に沿って帯状に切り欠いた窪みにはまり込んで水平移動する形態である。
図１６に示されているように、アダプター本体５０−２のドーム形状からスライド部材２０−２を除いて露出する窪みにおける両側壁の内面には、前後の方向もしくは、長さ方向（スライド方向）にピン８１と、ピン８２が順次形成されている。各ピンは互いに対向する位置にそれぞれ内方に水平に突出している。そして、前方のピン８１は前後方向もしくは長さ方向の中間付近に設けられ、後方のピン８２よりも高い位置に形成されている。
【００４７】
図１７は、スライド部材２０−２の裏面を上にして示した概略斜視図である。
図示されているように、スライド部材２０−２は底面が開放され、前面側も開放された開口７３を有する長い箱状の形態であり、このスライド部材２０−２の裏面において、前端付近には、折り壁３６が一体に形成されている。また、スライド部材２０−２の裏面には、長さ方向に沿って、前方から、開放時閉止部２４、通気開放部２５、密閉時閉止部２３が順次形成されている。
【００４８】
さらに、スライド部材２０−２の側壁には、長さ方向（スライド方向）に沿って延びる２つの凹状の溝もしく貫通したスリットが形成されている。この場合、前方に位置する第１のスリット７１は、スライド部材２０−２の前端付近から中央付近まで延びており、第２のスリット７２はこれより後ろの領域で長さ方向に延びている。また、各スリットはスライド部材２０−２の両側壁に対向するように、それぞれ一対形成されている。さらに、第１のスリット７１は、その前方部分７１ａが第２のスリット７２と同じ高さであるが、後方部分７１ｂが、これより高い位置となるように、階段状に形成されている。
【００４９】
本実施形態は以上のように構成されており、次にその動作を簡単に説明する。
図１３に示すように、スライド部材２０−２が完全に閉じられている際には、このスライド部材２０−２を側面から見ると、図１８の説明図のようになる。
すなわち、ピン８１とピン８２の垂直方向の位置は、ｌ１，ｌ２で示すように異なっており、ピン８１の高さｌ１のほうが高い。このピン８１は階段状とされた第１のスリット７１に挿入され、ピン８２は水平状とされた第２のスリット７２に挿入され、閉止状態において、それぞれ各スリットの後端付近に位置している。
【００５０】
図１４と図１５に示すように、スライド部材２０−２を移動させると、図１９に示すように、このスライド部材２０−２は、後方へ矢印方向に移動されることになる。この際に前方のピン８１は、第１のスリット７１の階段状の軌跡を通ることになる。このため、スライド部材２０−２の前端Ａ１は、後端Ａ２よりも高い位置に変位し、図１５に示す各ピン８１，８２が各スリットの前端に位置した段階では、図１５に示すように、前端の開口７３がストロー飲み口４０よりも後方に後退する。
【００５１】
この動きに対応して開閉動作を説明すると、図１３の閉止状態では、スライド部材２０−２の密閉時閉止部２３が通気孔５３を塞いでおり、さらにストロー飲み口４０の先端部４２もスライド部材２０−２の折り壁３６とアダプター本体５０−２の曲折案内壁５５との間で曲折されて、これらはともに閉止されている。
次いで、スライド部材２０−２が移動し始めると、図１８に示す階段状とされた第１のスリット７１における後方部分７１ｂの幅ｍ１分は完全に水平状態のまま移動し、通気孔５３は密閉時閉止部２３から開放され通気されるにも係らず、ストロー飲み口４０は屈曲された状態を維持したままとなり、カップ本体１１内の空気が通気孔５３から抜け出す。さらに移動し、スリット７１の階段状とされた部分になると、図１４の状態となる。スライド部材２０−２の前端Ａ１はやや上方に変位して、開口７３が開き、この上方への変位によりストロー飲み口の上端部４２の曲折角度は大きくなるが、いまだ完全には開放されていない。一方、この段階で、密閉時閉止部２３がさらに後方に移動して、通気孔５３を開くので、その後ストロー飲み口が開放された際に、容器本体１１内の液体の噴き出しを防止することができる。
【００５２】
次いで、スライド部材２０−２がさらに移動すると、図１５に示す第２の位置となりこの段階では、ストロー飲み口が開放される。一方、スライド部材２０−２の開放時閉止部２４が通気孔５３を塞ぐ。このため、飲料容器２００が、この状態で倒れても、通気孔５３から容器本体１１内の液体がこぼれる心配等はない。
つまり本実施の形態においては、スライド部材２０−２における先端部分が、閉止状態から水平方向に移動した後に、上方にその角度を変位させることで、通気孔５３の開閉を行いつつ、確実にストロー飲み口４０を屈曲させて密閉することができる。
なお、スライド部材にピンを形成し、アダプター本体５０側にスリットもしくは溝を形成することもできることは言うまでもない。
【００５３】
上述の各実施形態における各構成は、必要により、その一部を省略したり、他の構成と入れ換えて、異なる構成の組み合わせのもとで実施されてもよい。
【図面の簡単な説明】
【００５４】
【図１】本発明の第１の実施形態にかかる飲料容器の概略斜視図。
【図２】本発明の第１の実施形態にかかる飲料容器の概略斜視図。
【図３】図１の飲料容器の概略分解斜視図。
【図４】図１の飲料容器のアダプタ本体の概略斜視図。
【図５】図１の飲料容器のスライド機構の説明図。
【図６】図１の飲料容器のアダプターの概略断面図。
【図７】図１の飲料容器のアダプターの概略断面図。
【図８】図１の飲料容器のアダプターの概略断面図。
【図９】本発明の第２の実施形態にかかる飲料容器の概略斜視図。
【図１０】本発明の第２の実施形態にかかる飲料容器の概略斜視図。
【図１１】図９の飲料容器のアダプターの概略断面図。
【図１２】図９の飲料容器のアダプターの概略断面図。
【図１３】本発明の第３の実施形態にかかる飲料容器の概略斜視図。
【図１４】本発明の第３の実施形態にかかる飲料容器の概略斜視図。
【図１５】本発明の第３の実施形態にかかる飲料容器の概略斜視図。
【図１６】本発明の第３の実施形態にかかる飲料容器の概略分解斜視図。
【図１７】図１３の飲料容器のスライド部材の概略斜視図。
【図１８】図１３の飲料容器のスライド部材の移動を説明する図。
【図１９】図１３の飲料容器のスライド部材の移動を説明する図。
【図２０】従来の飲料容器の通気孔の開閉機構の図。
【符号の説明】
【００５５】
１０，１００，２００・・・飲料容器、１１・・・容器本体、１２・・・取っ手、１５・・・フード部材、１６・・・アダプター、２０・・・スライド部材、３０・・・回動蓋、４０・・・ストロー飲み口、５０・・・アダプター本体
【図１】
2006176184.tif 000003
【図２】
2006176184.tif 000004
【図３】
2006176184.tif 000005
【図４】
2006176184.tif 000006
【図５】
2006176184.tif 000007
【図６】
2006176184.tif 000008
【図７】
2006176184.tif 000009
【図８】
2006176184.tif 000010
【図９】
2006176184.tif 000011
【図１０】
2006176184.tif 000012
【図１１】
2006176184.tif 000013
【図１２】
2006176184.tif 000014
【図１３】
2006176184.tif 000015
【図１４】
2006176184.tif 000016
【図１５】
2006176184.tif 000017
【図１６】
2006176184.tif 000018
【図１７】
2006176184.tif 000019
【図１８】
2006176184.tif 000020
【図１９】
2006176184.tif 000021
【図２０】
2006176184.tif 000022